(57)【要約】【課題】高音質に出力可能なHDMI信号を提供することができるようにする。【解決手段】HDMI端子１７を有する再生装置１において、コントローラ２２は、HDMI接続形態が、音を聴くことのみを目的とする形態であるかを検出する。HDMI接続形態が音を聴くことのみを目的とする形態であると検出された場合に、OSD処理部１５またはHDMI I/F１６は、HDMI信号に含まれるビデオ信号またはビデオ信号に基づく制御信号を変更し、変更後のビデオ信号またはビデオ信号に基づく制御信号がオーディオ信号とともにHDMI信号としてHDMI端子１７から出力される。本発明は、例えば、再生装置に適用できる。【選択図】図１
2010061774.tif 000002
【特許請求の範囲】
【請求項１】
所定の記録媒体に記録されているビデオ信号およびオーディオ信号を読み出す再生手段と、
前記ビデオ信号およびオーディオ信号に対応する信号をHDMI信号により出力するHDMI端子と、
前記HDMI端子を介して接続されている装置の接続形態が、音を聴くことのみを目的とする形態であるかを検出する検出手段と、
前記接続形態が音を聴くことのみを目的とする形態であると検出された場合に、前記ビデオ信号または前記ビデオ信号に基づく制御信号を変更する信号制御手段と
を備え、
前記出力端子は、変更後の前記ビデオ信号または前記ビデオ信号に基づく制御信号を、前記オーディオ信号とともに、前記HDMI信号により出力する
再生装置。
【請求項２】
前記信号制御手段は、前記所定の記録媒体から読み出された所定の映像の前記ビデオ信号を、データの変動が無い映像のビデオ信号に変更する
請求項１に記載の再生装置。
【請求項３】
前記信号制御手段は、前記所定の記録媒体から読み出された所定の解像度の前記ビデオ信号を、TMDSクロックの周波数が前記オーディオ信号の伝送に最低限必要なTMDSクロックの周波数以上となり、前記所定の解像度よりも低い解像度のビデオ信号に変更する
請求項１に記載の再生装置。
【請求項４】
前記信号制御手段は、前記ビデオ信号に基づくTMDSクロックの周波数とNの値を、TMDSクロックの周波数とNの値の積をCTSの値で除算したときの剰余がゼロとなるTMDSクロックの周波数とNの値に変更する
請求項１に記載の再生装置。
【請求項５】
前記信号制御手段は、前記ビデオ信号に基づくビデオクロック信号の周波数をターゲット周波数に変更することにより、前記ビデオクロック信号から生成されるTMDSクロックを変更する
請求項１に記載の再生装置。
【請求項６】
前記検出手段は、EDIDの情報またはCECの情報に基づいて、前記接続形態が音を聴くことのみを目的とする形態であるかを検出する
請求項１に記載の情報処理装置。
【請求項７】
所定の記録媒体に記録されているビデオ信号およびオーディオ信号を読み出し、前記ビデオ信号およびオーディオ信号に対応する信号をHDMI信号により出力するHDMI端子を備える再生装置が、
前記HDMI端子を介して接続されている装置の接続形態が、音を聴くことのみを目的とする形態であるかを検出し、
前記接続形態が音を聴くことのみを目的とする形態であると検出された場合に、前記ビデオ信号または前記ビデオ信号に基づく制御信号を変更し、
変更後の前記ビデオ信号または前記ビデオ信号に基づく制御信号を、前記オーディオ信号とともに、前記HDMI信号により出力する
再生制御方法。
【請求項８】
コンピュータに、
所定の記録媒体に記録されているビデオ信号およびオーディオ信号の読み出しを制御し、
HDMI信号を出力するHDMI端子を介して接続されている装置の接続形態が、音を聴くことのみを目的とする形態であるかを検出し、
前記接続形態が音を聴くことのみを目的とする形態であると検出された場合に、前記ビデオ信号または前記ビデオ信号に基づく制御信号を変更し、
変更後の前記ビデオ信号または前記ビデオ信号に基づく制御信号を、前記オーディオ信号とともに、前記HDMI信号により出力する
処理を実行させるプログラム。
【発明の詳細な説明】
【技術分野】
【０００１】
本発明は、再生装置、再生制御方法、およびプログラムに関し、特に、高音質に出力可能なHDMI信号を提供することができるようにする再生装置、再生制御方法、およびプログラムに関する。
【背景技術】
【０００２】
HDMI（High-Definition Multimedia Interface）は、主に家電やAV機器向けのデジタル映像および音声入出力用に策定されたインタフェース規格であり、HDMIに準拠した信号（HDMI信号）によれば、１本のケーブルでビデオ信号、オーディオ信号、及び制御信号（制御情報）を送受信することが可能である（例えば、特許文献１参照）。
【０００３】
HDMIを採用した形態としては、光ディスクやハードディスクなどの記録メディアにAVデータを記録又は再生する記録再生装置とテレビジョン受像機などの表示装置とをHDMIケーブルで接続する形態がある。
【０００４】
また、近年では、記録再生装置と表示装置のほかに、AVアンプや５．１チャンネルなどの多チャンネルスピーカなども加えた構成とするホームシアタシステムも普及しつつあり、映像と音を同時視聴する場合のみならず、音（音楽）のみを聴くという視聴形態も想定される。
【０００５】
【特許文献１】特開２００８−１５８５９５号公報
【発明の開示】
【発明が解決しようとする課題】
【０００６】
ところで、HDMIは、ビデオ信号を伝送する隙間でオーディオ信号を伝送する仕組みであり、オーディオ信号は、ビデオ信号のクロック（Video Pixel Clock）、より具体的には、ビデオ信号のクロックから生成されるTMDSクロックを利用して伝送される。受信側（レシーバ）では、TMDSクロックからオーディオマスタクロックが生成されるため、受信側で再生される音質は、ビデオ信号のクロックの精度に影響されやすく、例えば、TMDSクロックのジッタの影響を受けやすい。
【０００７】
近年、HDMIにおけるビデオ信号の伝送において、高画質化および大画面化のため、画枠サイズ、フレームレート、およびビット幅が増大してきており、TMDSクロックの周波数が高くなってきている。TMDSクロックが高周波になると、TMDSクロックのジッタが発生しやすくなる。TMDSクロックにジッタが発生すると、TMDSクロックから生成されるオーディオマスタクロックにもジッタが発生するので、再生される音質も劣化しやすくなる。
【０００８】
以上のように、HDMI信号として供給されるオーディオ信号の音の品質が、ビデオ信号に影響され、劣化してしまうことがあった。
【０００９】
本発明は、このような状況に鑑みてなされたものであり、高音質に出力可能なHDMI信号を提供することができるようにするものである。
【課題を解決するための手段】
【００１０】
本発明の一側面の再生装置は、所定の記録媒体に記録されているビデオ信号およびオーディオ信号を読み出す再生手段と、前記ビデオ信号およびオーディオ信号に対応する信号をHDMI信号により出力するHDMI端子と、前記HDMI端子を介して接続されている装置の接続形態が、音を聴くことのみを目的とする形態であるかを検出する検出手段と、前記接続形態が音を聴くことのみを目的とする形態であると検出された場合に、前記ビデオ信号または前記ビデオ信号に基づく制御信号を変更する信号制御手段とを備え、前記出力端子は、変更後の前記ビデオ信号または前記ビデオ信号に基づく制御信号を、前記オーディオ信号とともに、前記HDMI信号により出力する。
【００１１】
本発明の一側面の再生制御方法は、所定の記録媒体に記録されているビデオ信号およびオーディオ信号を読み出し、前記ビデオ信号およびオーディオ信号に対応する信号をHDMI信号により出力するHDMI端子を備える再生装置が、前記HDMI端子を介して接続されている装置の接続形態が、音を聴くことのみを目的とする形態であるかを検出し、前記接続形態が音を聴くことのみを目的とする形態であると検出された場合に、前記ビデオ信号または前記ビデオ信号に基づく制御信号を変更し、変更後の前記ビデオ信号または前記ビデオ信号に基づく制御信号を、前記オーディオ信号とともに、前記HDMI信号により出力する。
【００１２】
本発明の一側面のプログラムは、コンピュータに、所定の記録媒体に記録されているビデオ信号およびオーディオ信号の読み出しを制御し、HDMI信号を出力するHDMI端子を介して接続されている装置の接続形態が、音を聴くことのみを目的とする形態であるかを検出し、前記接続形態が音を聴くことのみを目的とする形態であると検出された場合に、前記ビデオ信号または前記ビデオ信号に基づく制御信号を変更し、変更後の前記ビデオ信号または前記ビデオ信号に基づく制御信号を、前記オーディオ信号とともに、前記HDMI信号により出力する処理を実行させる。
【００１３】
本発明の一側面においては、HDMI信号を出力するHDMI端子を介して接続されている装置の接続形態が音を聴くことのみを目的とする形態であると検出された場合に、ビデオ信号またはビデオ信号に基づく制御信号が変更され、変更後のビデオ信号またはビデオ信号に基づく制御信号が、オーディオ信号とともに、HDMI信号により出力される。
【発明の効果】
【００１４】
本発明の一側面によれば、高音質に出力可能なHDMI信号を提供することができる。
【発明を実施するための最良の形態】
【００１５】
図１は、本発明を適用した再生装置の一実施の形態の構成例を示している。
【００１６】
図１の再生装置１は、ドライブ１１、バッファ１２、デマルチプレクサ１３、AVデコーダ１４、OSD (On Screen Display)処理部１５、HDMI I/F１６、HDMI端子１７、操作入力部２１、およびコントローラ２２により構成されている。
【００１７】
ドライブ１１は、そこに装着された、または、内蔵されているメディア１１ａに記録されているAVストリームデータを読み出し、読み出したAVストリームデータをバッファ１２に供給する。メディア１１ａは、例えば、CD-ROM(Compact Disc-Read Only Memory)、音楽用CD、DVD(Digital Versatile Disc)、Blu−ray Disc（登録商標）、ハードディスク（Hard Disk）などである。
【００１８】
バッファ１２は、ドライブ１１から供給されるAVストリームデータを一時バッファリングした後、デマルチプレクサ１３に供給する。
【００１９】
デマルチプレクサ１３は、バッファ１２を介してドライブ１１から供給されるAVストリームデータを、ビデオストリームとオーディオストリームに分離する。デマルチプレクサ１３は、分離したビデオストリームとオーディオストリームをAVデコーダ１４に供給する。
【００２０】
AVデコーダ１４は、ビデオストリームを所定の方式（例えば、MPEG２ (Moving Picture Experts Group２）方式）でデコードし、その結果得られるビデオ信号をOSD処理部１５に供給する。また、AVデコーダ１４は、オーディオストリームを所定の方式（例えば、MPEG２方式）でデコードし、その結果得られるオーディオ信号をHDMI I/F１６に供給する。
【００２１】
OSD処理部１５は、AVデコーダ１４から供給されるビデオ信号に対応する映像に、所定の文字や画像を重畳表示させた映像のビデオ信号を生成し、HDMI I/F１６に供給する。なお、OSD処理部１５は、AVデコーダ１４から供給されるビデオ信号をそのまま出力（スルー出力）したり、AVデコーダ１４からのビデオ信号に代えて、自ら生成した映像（画面）のビデオ信号を出力することも可能である。例えば、OSD処理部１５は、コントローラ２２からの指示に従って、映像や音声の設定画面のビデオ信号を生成し、出力することができる。
【００２２】
HDMI I/F１６は、AVデコーダ１４から供給されるオーディオ信号およびOSD処理部１５から供給されるビデオ信号を、HDMIに準拠した信号（以下、HDMI信号）に変換し、HDMI端子１７を介して出力する。また、HDMI I/F１６は、HDMI端子１７および図示せぬHDMIケーブルを介して接続されている受信側の装置（以下、受信側装置という）から取得したEDID (Extended display identification data)やCEC（Consumer Electronics Control）の情報（以下、まとめて制御情報という）をコントローラ２２に供給する。
【００２３】
操作入力部２１は、例えば、ボタン、キー、タッチパネル、ジョグダイヤル、マウスなどの入力デバイスや、図示せぬリモートコマンダから送信される赤外線などの信号を受信する受信部により構成され、ユーザの操作入力を取得し、コントローラ２２に供給する。
【００２４】
コントローラ２２は、予め記憶されている制御プログラムを実行することにより、ユーザの操作に応じた動作をするように各部を制御する。例えば、コントローラ２２は、メディア１１ａに記録されているAVストリームデータの読み出しをドライブ１１に指示したり、所定の設定画面のビデオ信号の生成をOSD処理部１５に指示する。
【００２５】
また、コントローラ２２は、HDMI I/F１６から供給される制御情報に基づいて、HDMI端子１７を介して接続されている装置の構成（以下、HDMI接続形態という）を認識する。そして、コントローラ２２は、HDMI接続形態に応じて、再生装置１のHDMI出力モードを、通常モード、または、高音質出力モードのいずれかに設定する。通常モードは、メディア１１ａから読み出したままの高画質なビデオ信号を基準にビデオ信号とオーディオ信号を出力するモードであり、高音質出力モードは、HDMI信号に含まれるオーディオ信号をビデオ信号よりも優先して出力するモードである。
【００２６】
図２乃至図４は、コントローラ２２が認識するHDMI接続形態の例を示している。
【００２７】
図２は、第１のHDMI接続形態を示しており、再生装置１とテレビジョン受像機（TV）３１が接続されている形態である。この場合、テレビジョン受像機３１は、再生装置１から供給されるHDMI信号に基づいて映像と音（音声）を出力する。
【００２８】
図３は、第２のHDMI接続形態を示しており、図２に示した再生装置１とテレビジョン受像機３１との間に、AVアンプ（AMP）３２が接続されている形態である。この場合、テレビジョン受像機３１は再生装置１から供給されるHDMI信号に基づいて映像を出力（表示）し、AVアンプ３２はHDMI信号に基づいて音を出力する。
【００２９】
図４は、第３のHDMI接続形態を示しており、AVアンプ３２のみがHDMI端子１７を介して再生装置１と接続されている形態である。この場合、AVアンプ３２はHDMI信号に基づいて音のみを出力する。第３のHDMI接続形態では、ユーザがAVアンプ３２から出力される音のみを視聴している場合も考えられるし、コンポーネント出力やコンポジット出力により他の表示装置に表示させた映像と併せてAVアンプ３２から出力される音を視聴している場合もある。
【００３０】
再生装置１のコントローラ２２は、HDMI I/F１６から供給される制御情報に基づいて、HDMI接続形態が、図２乃至図４を参照して説明した第１乃至第３のHDMI接続形態のうちの図４に示した第３のHDMI接続形態であること、即ち、音を聴くことのみを目的とする形態であることを検出する。
【００３１】
具体的には、コントローラ２２は、次のようにして、HDMI接続形態が音を聴くことのみを目的とする形態であることを検出する。
【００３２】
最初に、コントローラ２２は、HDMIのHDCP（High-bandwidth Digital Content Protection）の機能であるDEVICE_COUNTとDEPTHを利用して、HDMI端子１７を介して接続されている装置の数を確認し、装置の数が１である場合を検出する。
【００３３】
図３のHDMI接続形態では、DEVICE_COUNTとDEPTHがいずれも２となり、装置の数が２となる。一方、図２と図４の接続形態では、DEVICE_COUNTとDEPTHがいずれも１となり、装置の数が１となる。これにより、図３のHDMI接続形態については、音を聴くことのみを目的とする形態ではないとして除外することができる。しかしながら、図２のHDMI接続形態と、図４のHDMI接続形態とを区別することはできない。
【００３４】
そこで、コントローラ２２は、１）EDIDのオーディオ情報、２）EDIDのプロダクト情報、３）CECの情報のいずれかを用いた処理を行うことで、HDMI接続形態が図４に示したHDMI接続形態であるか、換言すれば、HDMI端子１７を介して接続されている受信側装置がAVアンプ３２だけであるかを検出する。
【００３５】
１）EDIDのオーディオ情報（対応オーディオコーデック／チャンネル数の情報）を用いた検出
テレビジョン受像機３１が対応しているオーディオコーデックは、２チャンネルのリニアPCMのみであることがほとんどである。まれにAC3(Audio Code number 3)やAAC（Advanced Audio Coding）に対応しているテレビジョン受像機３１もあるが、それらが対応可能であるとしても、AVアンプ３２と比較すると、対応しているオーディオコーデックの種類もチャンネル数も少ない。例えば、AVアンプ３２が対応しているオーディオコーデックの種類には、ドルビーデジタル、ドルビーデジタルプラス、ドルビーTrueHD、DTS、DTS-HDなどがある。
【００３６】
そこで、コントローラ２２は、EDIDのオーディオ情報として供給される、受信側装置が対応しているオーディオコーデックの種類またはチャンネル数を基に、HDMI端子１７を介して接続されている受信側装置がAVアンプ３２だけであることを検出することができる。例えば、受信側装置がテレビジョン受像機３１が未対応の所定の種類のオーディオコーデックに対応している場合、チャンネル数が所定の数以上である場合、受信側装置がAVアンプ３２だけであると検出する。
【００３７】
２）EDIDのプロダクト情報（“Vendor/Product ID”、“Monitor Descriptor Currently Mandatory(Monitor Name)”の情報）を用いた検出
EDIDには、“Vendor/Product ID”、“Monitor Descriptor Currently Mandatory(Monitor Name)”などが、自身（受信側装置）についての情報であるプロダクト情報として含まれている。そこで、コントローラ２２は、接続が予想される受信側装置のプロダクト情報をデータベースとして予め記憶しておき、取得したプロダクト情報と一致するものを検出することで、HDMI端子１７を介して接続されている受信側装置がAVアンプ３２だけであることを検出することができる。
【００３８】
３）CECの情報を用いた検出
コントローラ２２は、HDMI端子１７を介して接続されている受信側装置がAVアンプ３２だけであることを、CECで直接検出する。この場合、上述したDEVICE_COUNTとDEPTHを利用する必要はない。
【００３９】
コントローラ２２は、以上のように、EDIDの情報またはCECの情報に基づいて、HDMI接続形態が音を聴くことのみを目的とする形態であることを検出する。そして、コントローラ２２は、HDMI接続形態が音を聴くことのみを目的とする形態であることを検出した場合に、再生装置１のHDMI出力モードを高音質出力モードに設定する。
【００４０】
高音質出力モードは、上述したように、オーディオ信号を優先的に出力するモードであり、高音質出力モードでは、コントローラ２２は、次の第１乃至第４の信号制御の少なくとも１つを実行させる。
【００４１】
図５を参照して、第１の信号制御について説明する。
【００４２】
通常モードでは、図５Aに示されるように、メディア１１ａから読み出したAVストリームデータをデコードして得られたビデオ信号とオーディオ信号をそのままHDMI信号にして出力するが、高音質出力モードでは、コントローラ２２は、OSD処理部１５を制御して、AVストリームデータをデコードして得られたビデオ信号を、例えば、図５Bに示される黒画（全画面が黒色の画面）のような、データの変動が無い映像のビデオ信号に変更させる。OSD処理部１５は、AVデコーダ１４からのビデオ信号ではなく、データの変動が無い映像のビデオ信号を生成し、HDMI I/F１６に供給する。TMDSクロックのジッタは、ビデオ信号のスイッチングノイズなどにより発生する場合もあり、黒画のビデオ信号のような、データの変動が無い映像のビデオ信号に変更することにより、ノイズ源となりやすい高周波の信号を抑制し、電源ラインの安定性も向上する。これにより、受信側装置において出力される音の品質が向上する。
【００４３】
図６を参照して、第２の信号制御について説明する。
【００４４】
近年、映像の高画質化が進み、メディア１１ａから読み出したAVストリームデータをデコードして得られるビデオ信号は、高解像度の映像のビデオ信号であることが多い。TMDSクロック（の信号）はビデオ信号のクロック（Video Pixel Clock）（以下、ビデオクロック信号という）から生成されるので、映像の解像度が高解像度になると、ビデオクロック信号はより高周波となる。ビデオクロック信号が高周波となると、TMDSクロックの周波数も高くなる。例えば、解像度が４８０p（ｐはプログレッシブを表す）のビデオ信号から生成されるTMDSクロックの周波数は、２７MHzであり、解像度が７２０ｐおよび１０８０ｉ（ｉはインターレースを表す）から生成されるTMDSクロックの周波数は、７４．１８MHzである。また、解像度が１０８０ｐのビデオ信号から生成されるTMDSクロックの周波数は、１４８．３６MHzである。さらに、Deep Color（色深度）が３６ビットの場合は通常の１．５倍となるため、例えば、Deep Color３６ビットで解像度１０８０ｐのビデオ信号から生成されるTMDSクロックの周波数は、２２２．５４MHz（＝１４８．３６×１．５MHz）となる。
【００４５】
一方、オーディオ信号の伝送にとっては、映像の解像度によって決定されるTMDSクロックの周波数は必要以上に高い場合が多い。そこで、コントローラ２２は、OSD処理部１５を制御して、TMDSクロックの周波数がオーディオ信号の伝送に最低限必要なTMDSクロックの周波数以上で、できるだけ低い周波数となるように、元の映像の解像度を変更させる。OSD処理部１５は、AVデコーダ１４から供給されたビデオ信号から、解像度を低下させたビデオ信号を生成し、HDMI I/F１６に供給する
【００４６】
図６Aは、通常モードのオーディオ信号とビデオ信号を示している。一方、図６Bは、通常モードのビデオ信号に対して、映像の画枠を小さくして、TMDSクロックの周波数がオーディオ信号の伝送に最低限必要なTMDSクロックの周波数に近い周波数となるように映像の解像度を下げたビデオ信号をHDMI I/F１６に供給する例を示している。これにより、図６Bに示される、HDMI I/F１６から出力されるTMDSクロックの周波数は、図６Aに示されるものよりも低いものとなっている。
【００４７】
TMDSクロックの周波数が低くなると、伝送時のノイズ源、伝送時のデータのひずみを抑制することができるので、TMDSクロックの精度が向上する。TMDSクロックの精度が向上すれば、受信側装置で、TMDSクロックから生成されるオーディオマスタクロックの精度も向上するので、受信側装置において出力される音の品質が向上する。
【００４８】
ここで、オーディオ信号の伝送に最低限必要なTMDSクロックの周波数について説明する。
【００４９】
HDMI信号では、図７に示されるように、映像（ビデオ信号）と映像（ビデオ信号）の間のブランク期間にオーディオ信号や制御情報が伝送される。従って、全てのオーディオ信号を伝送するのにかかる時間は少なくともブランク期間として確保する必要があり、全てのオーディオ信号を伝送するのにかかる時間に相当するブランク期間を有し、最も低解像度の映像のビデオ信号から生成されるTMDSクロックの周波数が、オーディオ信号の伝送に最低限必要なTMDSクロックの周波数となる。
【００５０】
例えば、サンプリング周波数が４８ｋHz、チャンネル数が８のリニアPCM（Pulse Code Modulation）のオーディオ信号を伝送するためには、TMDSクロックの周波数が２７MHzであれば足りるので、コントローラ２２は、OSD処理部１５にAVデコーダ１４から供給された所定の解像度のビデオ信号を、４８０ｐの解像度のビデオ信号に変更させる。
【００５１】
また例えば、サンプリング周波数が１９２ｋHz、チャンネル数が８のリニアPCMや、HBR(High Bit Rate)のオーディオ信号を伝送するためには、TMDSクロックの周波数が７４．１８MHzであれば足りるので、コントローラ２２は、OSD処理部１５にAVデコーダ１４から供給された所定の解像度のビデオ信号を、７２０ｐの解像度のビデオ信号に変更させる。
【００５２】
次に、第３の信号制御について説明する。
【００５３】
受信側装置には、上述しているようにTMDSクロックが供給されるが、その他に、オーディオマスタクロックの生成に必要なNとCTS（Cycle Time Stamp）の値もHDMI信号によって供給される。受信側装置は、供給されたTMDSクロック、NおよびCTSを用いて、オーディオマスタクロック＝ｆTMDSクロック×N／CTSの関係を満たすオーディオマスタクロックをPLL(Phase Locked Loop)回路により生成する。そして、生成されたオーディオマスタクロックを１／１２８に分周したものがサンプリング周波数ｆsとなる（即ち、オーディオマスタクロック＝１２８×ｆs）。
【００５４】
このオーディオマスタクロックの生成に必要なNとCTS（Cycle Time Stamp）の値は、HDMIでは、所定の範囲内であることが定められているが、その定められた範囲内であれば、いくつに設定するかは自由である。通常モードでは、ビデオ信号によりTMDSクロックの周波数が決まってくるが、高音質出力モードでは、HDMI信号を用いて映像を表示する必要は無いので、コントローラ２２は、上述のオーディオマスタクロックの関係式において、TMDSクロックの周波数とNの値の積（ｆTMDSクロック×N）をCTSの値で除算したときの剰余がゼロとなるような、即ち、TMDSクロックの周波数とNの値の積（ｆTMDSクロック×N）がCTSの値でちょうど割り切れるような組み合わせの、TMDSクロックの周波数とNの値をHDMI I/F１６に設定させる。HDMI I/F１６は、TMDSクロックの周波数とNの値の積（ｆTMDSクロック×N）をCTSの値で除算したときの剰余がゼロとなるTMDSクロックの周波数とNの値に、TMDSクロックの周波数とNの値を変更する。これにより、受信側装置で生成されるTMDSクロックの精度が向上するので、受信側装置において出力される音の品質が向上する。
【００５５】
次に、図８を参照して、第４の信号制御について説明する。
【００５６】
再生装置１は、想定される様々な解像度の映像のビデオ信号に対応するようにハードウエア設計され、製造される。そのため、再生装置１が対応可能なビデオクロック信号の周波数は、例えば、２７MHz乃至１４８MHzと幅広い。しかしながら、ハードウエア設計では、ある特定の周波数（以下、ターゲット周波数という）で最適な波形（きれいな矩形波）となるように設計し、その後、それ以外の周波数でも使用に支障の無いクロック信号が生成されるような設計（調整）がなされる。その結果、例えば、図８に示すように、ターゲット周波数では、波形４１Bのように最適な波形のビデオクロック信号が生成されるが、ターゲット周波数より低い周波数では、波形４１Aのように波形がなまったり、ターゲット周波数よりも高い周波数では、波形４１Cのようにリンギングが発生したりというようなことが多少なりとも起こり得る。
【００５７】
そこで、コントローラ２２は、OSD処理部１５を制御して、ビデオクロック信号の周波数をターゲット周波数に変更させる。OSD処理部１５は、コントローラ２２の制御にしたがい、ターゲット周波数のビデオクロック信号を生成し、HDMI I/F１６に供給する。これにより、HDMI I/F１６においてビデオクロック信号から生成されるTMDSクロックの精度が向上するので、受信側装置において出力される音の品質が向上する。
【００５８】
以上の第１乃至第４の信号制御は、それぞれ単独で行っても、受信側装置で出力される音の品質を向上させることができ、いずれか複数を同時に行った場合には、単独で行った場合よりもさらに音の品質を向上させることができる。
【００５９】
図９は、図２乃至図３のHDMI接続形態を判別し、通常モードと高音質出力モードの切替を行う、再生装置１のモード自動切替処理のフローチャートである。この処理は、例えば、HDMI端子１７にHDMIケーブルが接続され、再生装置１がHDMI端子１７を介して他の装置（受信側装置）と接続されたことが検出されたとき開始される。
【００６０】
初めに、ステップＳ１において、コントローラ２２は、接続されている装置の数が１であるかを判定する。即ち、コントローラ２２は、HDCPのDEVICE_COUNTとDEPTHを利用して、HDMI端子１７を介して接続されている装置の数を確認し、装置の数が１であるかを判定する。
【００６１】
ステップＳ１で、接続されている装置の数が１であると判定された場合、処理はステップＳ２に進み、コントローラ２２は、接続されている装置がAVアンプ３２であるかを判定する。上述したように、コントローラ２２は、EDIDのオーディオ情報またはプロダクト情報を基に、接続されている装置がAVアンプ３２であるかを判定することができる。なお、ステップＳ１およびＳ２をあわせた処理として、コントローラ２２は、CECの情報に基づいて、HDMI端子１７を介して接続されている装置がAVアンプ３２だけであることを検出してもよい。
【００６２】
ステップＳ２で、接続されている装置がAVアンプ３２であると判定された場合、処理はステップＳ３に進み、コントローラ２２は、再生装置１のHDMI出力モードを高音質出力モードに設定する。即ち、コントローラ２２は、OSD処理部１５およびHDMI I/F１６を制御して、上述した第１乃至第４の信号制御の少なくとも１つを実行させる。第１乃至第４の信号制御の少なくとも１つが実行されることにより、ビデオ信号またはビデオ信号に基づく制御信号が変更され、変更後のビデオ信号またはビデオ信号に基づく制御信号が、オーディオ信号とともに、HDMI信号としてHDMI端子１７から出力される。
【００６３】
一方、ステップＳ１で、接続されている装置の数が１ではないと判定された場合、およびステップＳ２で、接続されている装置がAVアンプ３２ではないと判定された場合、処理はステップＳ４に進み、コントローラ２２は、再生装置１のHDMI出力モードを通常モードに設定する。即ち、コントローラ２２は、OSD処理部１５およびHDMI I/F１６を制御して、メディア１１ａから読み出されたAVストリームデータに基づく高画質なビデオ信号を基準にビデオ信号とオーディオ信号をHDMI信号により出力させる。
【００６４】
ステップＳ５において、コントローラ２２は、HDMI接続に変化があるかを判定し、変化があると判定されるまで、処理を繰り返す。ステップＳ５で、HDMI接続に変化があると判定された場合、ステップＳ６において、HDMI端子１７を介して接続されている装置があるかを判定する。
【００６５】
ステップＳ６で、HDMI端子１７を介して接続されている装置があると判定された場合、処理はステップＳ１に戻り、上述したステップＳ１乃至Ｓ６の処理が繰り返される。一方、HDMI端子１７を介して接続されている装置がないと判定された場合、処理は終了する。
【００６６】
以上のように、HDMI端子１７を介して受信側装置が接続された場合、図９のモード自動切替処理が実行され、接続された受信側装置がAVアンプ３２だけである場合には、HDMI出力モードが高音質出力モードに設定される。これにより、HDMI端子１７を介して接続された受信側装置から高品質な音を出力することができる。換言すれば、受信側装置であるAVアンプ３２は、高画質なビデオ信号によって発生する、TMDSクロックのジッタや、電源ラインのノイズの影響の少ない環境で伝送されたオーディオ信号に基づいて、音を出力させることができる。
【００６７】
図９のモード自動切替処理では、接続の変化を監視している（ステップＳ５の処理）。従って、図３のHDMI接続形態においてAVアンプ３２とテレビジョン受像機３１との間のHDMI接続が切断された場合も、図４のHDMI接続形態として検出することができ、HDMI出力モードを通常モードから高音質出力モードに変更して、AVアンプ３２から高品質な音を出力することができる。
【００６８】
また例えば、図３のHDMI接続形態において、ユーザが、テレビジョン受像機３１に表示されたGUI画面で再生装置１の再生指示をした後、テレビジョン受像機３１の電源を切った場合にも、AVアンプ３２とテレビジョン受像機３１との間のHDMI接続の切断と同様にHDMI接続の変化を検出し、HDMI出力モードを通常モードから高音質出力モードに変更して、AVアンプ３２から高品質な音を出力することができる。
【００６９】
接続された受信側装置の判別には、HDMIのEDIDやCECの情報を利用するので、装置メーカや機種の新旧を問わず、AVアンプ３２から高品質な音を出力することができる。
【００７０】
以上までは、ユーザが特に操作する必要なく、再生装置１がHDMI接続を自動検出して、HDMI出力モードを変更する例について説明したが、再生装置１では、ユーザが設定画面上から、通常モードと高音質出力モードのいずれかを選択してHDMI出力モードを変更することも可能である。
【００７１】
図１０は、ユーザが設定画面上から、HDMI出力モードを設定（変更）した場合に実行される、モード手動切替処理のフローチャートである。
【００７２】
初めに、ステップＳ１１において、コントローラ２２は、ユーザにより高音質出力モードが選択されたかを判定する。
【００７３】
ステップＳ１１で、高音質出力モードが選択されたと判定された場合、処理はステップＳ１２に進み、コントローラ２２は、再生装置１のHDMI出力モードを高音質出力モードに設定する。ステップＳ１２の処理は、上述したステップＳ３の処理と同様である。
【００７４】
一方、ステップＳ１１で、高音質出力モードが選択されていないと判定された場合、即ち、ユーザにより通常モードが選択された場合、処理はステップＳ１３に進み、コントローラ２２は、再生装置１のHDMI出力モードを通常モードに設定する。ステップＳ１３の処理は、上述したステップＳ４の処理と同様である。
【００７５】
ステップＳ１１またはＳ１２により、高音質出力モードまたは通常モードのいずれかにHDMI出力モードが変更されると処理は終了する。
【００７６】
以上のモード手動切替処理によっても、HDMI端子１７を介して接続された受信側装置から高品質な音を出力することができる。
【００７７】
以上、説明したように、再生装置１によれば、HDMI端子１７を介して接続された受信側装置を自動判別することにより、または、ユーザの指示に従って、接続された受信側装置がAVアンプ３２だけであることを検出し、AVアンプ３２から高品質な音を出力させることができる。即ち、高音質に出力可能なHDMI信号を提供することができる。
【００７８】
この高品質な音を出力するための処理を実行するためには、再生装置１にはハードウエアを特に追加する必要はないので、容易に実現可能である。
【００７９】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【００８０】
図１１は、上述した一連の処理をプログラムにより実行するコンピュータのハードウエアの構成例を示すブロック図である。
【００８１】
コンピュータにおいて、CPU（Central Processing Unit）１０１，ROM（Read Only Memory）１０２，RAM（Random Access Memory）１０３は、バス１０４により相互に接続されている。
【００８２】
バス１０４には、さらに、入出力インタフェース１０５が接続されている。入出力インタフェース１０５には、キーボード、マウス、マイクロホンなどよりなる入力部１０６、ディスプレイ、スピーカなどよりなる出力部１０７、ハードディスクや不揮発性のメモリなどよりなる記憶部１０８、ネットワークインタフェースなどよりなる通信部１０９、磁気ディスク、光ディスク、光磁気ディスク、或いは半導体メモリなどのリムーバブルメディア１１１を駆動するドライブ１１０が接続されている。
【００８３】
以上のように構成されるコンピュータでは、CPU１０１が、例えば、記憶部１０８に記憶されているプログラムを、入出力インタフェース１０５及びバス１０４を介して、RAM１０３にロードして実行することにより、上述した一連の処理が行われる。
【００８４】
コンピュータ（CPU１０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア１１１に記録して、あるいは、ローカルエリアネットワーク、インターネット、デジタル衛星放送といった、有線または無線の伝送媒体を介して提供される。
【００８５】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００８６】
本明細書において、フローチャートに記述されたステップは、記載された順序に沿って時系列的に行われる処理はもちろん、必ずしも時系列的に処理されなくとも、並列的あるいは個別に実行される処理をも含むものである。
【００８７】
本発明の実施の形態は、上述した実施の形態に限定されるものではなく、本発明の要旨を逸脱しない範囲において種々の変更が可能である。
【００８８】
例えば、上述した再生装置１の各構成は、映像と音の再生機能と録画機能を備える記録再生装置の再生ブロックとして実現することができる。
【００８９】
また、上述した例では、HDMI接続形態が図４の接続形態、即ち、AVアンプだけが接続されている形態を検出したが、音を聴くことのみを目的とするHDMI接続形態であれば、その他のHDMI接続形態でもよい。
【図面の簡単な説明】
【００９０】
【図１】本発明を適用した再生装置の一実施の形態の構成例を示すブロック図である。
【図２】HDMI接続形態の例を示す図である。
【図３】HDMI接続形態の例を示す図である。
【図４】HDMI接続形態の例を示す図である。
【図５】高音質出力モードが設定された場合の第１の信号制御について説明する図である。
【図６】高音質出力モードが設定された場合の第２の信号制御について説明する図である。
【図７】高音質出力モードが設定された場合の第２の信号制御について説明する図である。
【図８】高音質出力モードが設定された場合の第４の信号制御について説明する図である。
【図９】図１の再生装置によるモード自動切替処理を説明するフローチャートである。
【図１０】図１の再生装置によるモード手動切替処理を説明するフローチャートである。
【図１１】本発明を適用したコンピュータの一実施の形態の構成例を示すブロック図である。
【符号の説明】
【００９１】
１  再生装置，  １５  OSD処理部，  １６  HDMI I/F，  １７  HDMI端子，  ２１  操作入力部，  ２２  コントローラ
【図１】
2010061774.tif 000003
【図２】
2010061774.tif 000004
【図３】
2010061774.tif 000005
【図４】
2010061774.tif 000006
【図５】
2010061774.tif 000007
【図６】
2010061774.tif 000008
【図７】
2010061774.tif 000009
【図８】
2010061774.tif 000010
【図９】
2010061774.tif 000011
【図１０】
2010061774.tif 000012
【図１１】
2010061774.tif 000013